(57)【要約】      （修正有）【課題】硬貨、カギ等の小物と共に、カードを財布の収納袋部に奥深く収納して、不用意にカードが抜け出ず、且つ使用時においては速やかに取り出せる財布を提供する。【解決手段】布、合成樹脂、皮革等の軟質性材料にて形成され、且つ中央部より折り返されて構成され前後面材と、この前後面材に対面して硬貨、カード等を上方向から差込み収納する前面収納部２及び後面収納部３と、前面収納部２及び後面収納部３の、夫々の、硬貨、カード等の挿入口４と、更に該夫々の挿入口４のから底部に亘って一定深さで、而も左右に形成されたスリット５と、この左右スリット間に位置すると共に、折り曲げられる中片６とで構成した。【選択図】図２
0003217925.tif 000002
【実用新案登録請求の範囲】
【請求項１】
▲１▼布、合成樹脂、皮革等の軟質性材料にて形成され、且つ中央部より折り返されて構成され前後面材と、
▲２▼この前後面材に対面して硬貨、カード等を上方向から差込み収納する前面収納部及び後面収納部と、
▲３▼前記前面収納部及び後面収納部との夫々の硬貨、カード等の挿入口と、
▲４▼更に該夫々の挿入口のから底部に亘って一定深さで、而も左右に形成されたスリットと、この左右スリット間に位置すると共に、折り曲げられる中片とで成したことを特徴とする財布。
【請求項２】
前記前面収納部及び後面収納部の何れか一方を、収納部を形成せずして面材としたことを特徴とする請求項１記載の財布。
【請求項３】
前記左右スリット間に位置すると共に、折り曲げられて中片に被さるカバーを、該中片を連接しない他方の収納部から伸延して形成したことを特徴とする請求項１記載の財布。
【請求項４】
前記前後面材の一方は、他方の対面する面材を包み込んで一方収納部を構成すると共に、更に伸延して他方の面材にて包み込まれて他方収納部を構成したことを特徴とする請求項１記載の財布。
【請求項５】
前記前後面材は、長方形の基材にて上方向から下方向に亘って四辺形の４区分面材パターンとし、この同形の２枚の面材パターンを互いに上下反対向きに縫合して前面収納部及び後面収納部を構成したことを特徴とする請求項１記載の財布。
【考案の詳細な説明】
【技術分野】
【０００１】  本考案は硬貨、カギ等の小物、更にはカード等を収納する財布に関する。
【背景技術】
【０００２】  今日、身の回り品の多様化に伴い、財布には本来の紙幣とは別異に、硬貨、更にはカード、自宅のカギ、車のキー等の小物を収納して持ち運んでいる。
先ず下記特許文献１に示す如く、中央より左右開きとした財布の一方に硬貨を収納する袋部を設け、更に他方にカードを収納している。
然しながら、特にカードは板厚が薄く、而も袋部はカードが無用に抜け出ない様に空隙が狭く施されている。
而して、この特許文献１は、その配慮からか中央部をカードが一部露呈する様、指先が触れる凹部を形成しているが、未だ満足いくものではない。
特にこの凹部を極端に広く形成すると、カードが抜け出る虞があり、特にカードの露出面が広くなって、カードを傷付け、不測の事態を招きかねない。
更に特許文献２については、硬貨を収納する内側に透明ポケットとは別に財布の外側にバックポケットと称してカードを収納しているが、これとてもカードがほぼ全面的に挿入され、取出しが容易ではない。
【先行技術文献】
【０００３】
【特許文献１】特許第３０６４２８５号  公報
【特許文献１】特開２００２−１５９３１５号  公報
【考案の概要】
【考案が解決しようとする課題】
【０００４】  硬貨、カギ等の小物と共に、収納されるカードを財布の収納袋部に奥深く収納して、不用意にカードが抜け出ず、且つ使用時においては速やかに取り出せることとする。
【課題を解決するための手段】
【０００５】    本考案は、布、合成樹脂、皮革等の軟質性材料にて形成され、且つ中央部より折り返されて構成され前後面材と、この前後面材に対面して硬貨、カード等を上方向から差込み収納する前面収納部及び後面収納部と、前記前面収納部及び後面収納部との夫々の硬貨、カード等の挿入口と、更に該夫々の挿入口のから底部に亘って一定深さで、而も左右に形成されたスリットと、この左右スリット間に位置すると共に、折り曲げられる中片とで成したことを特徴とするものである。【０００６】  更に本考案は、前面収納部及び後面収納部の何れか一方を、収納部を形成せずして面材としたことを特徴とするものである。【０００７】  更に本考案は、左右スリット間に位置すると共に、折り曲げられて中片に被さるカバーを、該中片を連接しない他方の収納部から伸延して形成したことを特徴とするものである。【０００８】  更に本考案は、前後面材の一方は、他方の対面する面材を包み込んで一方収納部を構成すると共に、更に伸延して他方の面材にて包み込まれて他方収納部を構成したことを特徴とするものである。【０００９】  更に本考案は、前後面材は、長方形の基材にて上方向から下方向に亘って四辺形の４区分面材パターンとし、この同形の２枚の面材パターンを互いに上下反対向きに縫合して前面収納部及び後面収納部を構成したことを特徴とするものである。
【考案の効果】
【００１０】（１）請求項１により、硬貨、カギ等の小物と共に、収納されるカードを財布の収納袋部に奥深く収納して、不用意にカードが抜け出ず、且つ使用時においては中片を折り曲げることによって、カードが相応に露呈し、容易に取り出すことが出来ると共に、硬貨についても支障なく取り出すことができる。【００１１】（２）請求項３により、図５に示す如く、同一素形品を用いて一方収納部と、他方収納部とを構成することができ、部材の製造は同一金型を用いて行うことが出来、部材の在庫管理にも適する。
【図面の簡単な説明】
【００１２】
【図１】財布の斜視図
【図２】同上の硬貨及びカードを取り出す状態を示す斜視図
【図３】同上の正面図
【図４】同上の側面図
【図５】同上の前後収納部を夫々構成する同一素形品図
【考案を実施するための形態】
【００１３】  以下本考案を実施形態の図面に基づいて説明すると、図１は財布の斜視図であって、財布本体１は布、合成樹脂、皮革等の軟質性材料にて形成されると共に、上部１ａを中心として左右矢印方向Ｘに開蓋される前面収納部２及び後面収納部３にて構成されている。
【００１４】  具体的には図５に示す如く、布、合成樹脂、皮革等の軟質性材料を用いて長方形の基材Ｐとし、上方向から下方向に亘って四辺形の４区分面材パターンＰａとして、この４区分面材Ｐａの２枚の同一素形体を互いに上下反対向きに縫合して中央部より折り返して前後面材２ａ、３ａとしてこれを図５に示す如く夫々山折りｍ、谷折りｒにより、前面収納部２及び後面収納部３を構成する。
而して、ここで言う同一素形体とは、財布本体１を製造する過程での一工程上において、同一素体（素材）として形成されること称し、ホック等の位置から全く同一形状を指すものではない。
【００１５】  前面収納部２及び後面収納部３には夫々の硬貨Ｃｏ、カードＣａ等の挿入口４が形成されており、夫々の挿入口４から底部２ａ、３ａに亘って一定深さで、而も左右にスリット５を形成し、この左右スリット５によって折り曲げられる中片６を形成する。
更に、この中片６と連接しない他方の収納部３から伸延して形成されると共に、折り曲げられて該中片６に被さるカバー７を形成している。
又、前面収納部２及び後面収納部３の何れか一方を、収納部２，３を形成せずして面材２ａ、３ａとしている。
【００１６】  中片６及びカバー７には夫々係合する凹凸ホック８、９を備えており、前面収納部２には吊り紐Ｐの吊孔１０を設けている。
【００１７】  次に本考案に係る硬貨Ｃｏ、カードＣａ等を取り出す順序を説明すると、図１はカバー７を閉ざした状態を示しており、この状態から図２に示す如く、カバー７を開蓋し、中片６指先にて矢印Ｙの方向に広げる。
而して、所望の硬貨Ｃｏ、カードＣａ等、特にカードＣａの上部が露呈し、指先にてスライドさせることによってスムーズに押し出すことができる。
勿論、カードＣａを所定通りに収納した後はカバー７を凹凸ホック８、９の係合によって、カードＣａが無用に抜け出ることはなく、紛失の虞はない。
【符号の説明】
【００１８】  Ｃａ  カード
Ｃｏ  硬貨
Ｐ    基材
１    財布本体
２    前面収納部
３    後面収納部
４    挿入口
５    左右にスリット
６    中片
７    カバー７
８、９凹凸ホック
【図１】
0003217925.tif 000003
【図２】
0003217925.tif 000004
【図３】
0003217925.tif 000005
【図４】
0003217925.tif 000006
【図５】
0003217925.tif 000007